(57)【要約】【課題】ヘッドホンが接続されてオーディオモードになっても、画像データの再生を可能にする。【解決手段】メモリカード９に記録されている画像データおよび音声データを再生することが可能なデジタルスチルカメラにおいて、イヤホンまたはヘッドホンを接続するための音声出力端子１３と、この音声出力端子１３へのイヤホンまたはヘッドホンの接続有無を検出する検出部１４と、システム制御部６とを備え、検出部１４がイヤホンまたはヘッドホンの音声出力端子１３への接続を検出すると、システム制御部６は前記メモリカード９に記録されている音声データのみを再生させる。【選択図】  図１
2004229206.tif 000002
【特許請求の範囲】
【請求項１】
メモリカードに記録されている画像データおよび音声データを再生することが可能なデジタルスチルカメラにおいて、
イヤホンまたはヘッドホンを接続するための音声出力端子と、
該音声出力端子へのイヤホンまたはヘッドホンの接続有無を検出する検出部と、
該検出部がイヤホンまたはヘッドホンの接続を検出した場合に前記メモリカードに記録されている音声データのみを再生するように制御するシステム制御部と、
を有することを特徴とするデジタルスチルカメラ。
【請求項２】
請求項１記載のデジタルスチルカメラにおいて、
前記検出部がイヤホンまたはヘッドホンの接続を検出した場合であっても、操作部の操作により画像データを再生する入力があれば画像データを優先して再生するように制御するシステム制御部を有することを特徴とするデジタルスチルカメラ。
【請求項３】
請求項１記載のデジタルスチルカメラにおいて、
前記検出部がイヤホンまたはヘッドホンの接続を検出した場合であって、かつ音声データが前記メモリカードに記録されていない場合は、その旨をＬＣＤに表示するシステム制御部を有することを特徴とするデジタルスチルカメラ。
【発明の詳細な説明】
【０００１】
【発明の属する技術分野】
本発明は、画像再生機能に加え、音声再生機能を備えたデジタルスチルカメラに関する。
【０００２】
【従来の技術】
従来、画像再生機能に加え、音声再生機能を備えた「デジタルカメラ」（特許文献１参照。）がある。これは、音声再生を行うオーディオモードと画像の撮影、記録、再生を行うカメラモードを有しており、デジタルカメラ本体にヘッドホンが接続されるとオーディオモードになり音声再生が画像撮影に優先する。
【０００３】
【特許文献１】
特開２００２−５１２４３号公報
【０００４】
【発明が解決しようとする課題】
しかしながら、上述した「デジタルカメラ」は、ヘッドホンが接続されるとオーディオモードになり、そのままでは画像データを再生することができないという問題があった。また、メモリカードに記録されている画像データおよび音声データの再生が可能な従来のデジタルスチルカメラでは再生モードを選択すると画像データと音声データを区別せずに再生する。これだとユーザーが音声データを再生したいと望んでいる場合、デジタルスチルカメラの通常の使用状態では音声データより画像データの数が圧倒的に多いので再生したい音声データを選択するのに手間がかかってしまい使い勝手が良くない。
そこで、本発明は再生モード時にイヤホンあるいはヘッドホンが接続されればユーザーが音声データの再生を望んでいるものと判断して音声データのみを再生することにより、ユーザーが再生したい音声データを容易に選択することが可能なデジタルスチルカメラを提供することを目的とする。
【０００５】
【課題を解決するための手段】
上記課題を解決するために、請求項１の発明は、メモリカードに記録されている画像データおよび音声データを再生することが可能なデジタルスチルカメラにおいて、イヤホンまたはヘッドホンを接続するための音声出力端子と、該音声出力端子へのイヤホンまたはヘッドホンの接続有無を検出する検出部と、該検出部がイヤホンまたはヘッドホンの接続を検出した場合に前記メモリカードに記録されている音声データのみを再生するように制御するシステム制御部とを有することを特徴とする。
【０００６】
請求項２の発明は、請求項１の発明において、前記検出部がイヤホンまたはヘッドホンの接続を検出した場合であっても、操作部の操作により画像データを再生する入力があれば画像データを優先して再生するように制御するシステム制御部を有することを特徴とする。
【０００７】
請求項３の発明は、請求項１の発明において、前記検出部がイヤホンまたはヘッドホンの接続を検出した場合であって、かつ音声データが前記メモリカードに記録されていない場合は、その旨をＬＣＤに表示するシステム制御部を有することを特徴とする。
【０００８】
【発明の実施の形態】
以下、図に基づいて本発明の実施形態を説明する。
図１は本発明に係るデジタルスチルカメラの概略構成を示すブロック図である。図において、撮像部１は被写体の画像をアナログ画像信号に変換する。Ａ／Ｄ変換器２は撮像部１から送られてくるアナログ画像信号をデジタル画像データに変換する。デジタル信号処理部３はＡ／Ｄ変換器２から入力されるデジタル画像データを色差成分と輝度成分に分けて所要の各種処理、補正処理及び画像圧縮／伸長のための前処理を行う。画像圧縮／伸長部４はＪＰＥＧ準拠の画像圧縮／伸長のための直交変換およびハフマン符号化／復号化等の処理を行う。メモリカード９はメモリカードＩ／Ｆ８を介して画像圧縮／伸長部４で圧縮された画像データを記録するための着脱可能な記録媒体である。
【０００９】
システム制御部６はカメラ全体のシステム制御、電源制御、メモリ制御等を行う。操作部７は再生条件設定手段、電源スイッチ、レリーズ、撮影条件設定手段等を備える。ＬＣＤ１０は撮影しようとする画像や記録された画像の確認をするためのものである。音声出力端子１３は音声再生回路１２を介して再生された音声データを確認するためのものでイヤホンあるいはヘッドホン（図示せず）が接続可能である。検出部１４はイヤホンあるいはヘッドホンが音声出力端子１３に接続されたかどうかを検出し、その検出結果をシステム制御部６に送る。電源回路１１はシステム制御部６の指示により各部に電力を供給する。
【００１０】
次に、本発明に係るデジタルスチルカメラの動作について説明する。デジタルスチルカメラが再生モードにある時、音声出力端子１３にイヤホンあるいはヘッドホンが接続されると、検出部１４からシステム制御部６に検出結果が送られ、システム制御部６は音声データのみを再生するようデジタルスチルカメラを制御する。この時、操作部７の操作により画像データを再生させる操作入力があると、画像データが再生される。また、メモリカード９に音声データが記録されていなければＬＣＤ１０に「音声データがありません」等の表示を行いユーザーに知らせる。
【００１１】
【発明の効果】
以上述べたように本発明によれば、カメラ本体にイヤホンあるいはヘッドホンを接続すれば、音声データのみが再生されるので、再生したい音声データをすばやく選択することができる。また、音声データの再生中であっても、画像データを再生したい場合は、操作部の操作により画像データを再生する入力を行えば、画像データが優先して再生される。さらには、カメラ本体にイヤホンあるいはヘッドホンを接続して音声再生モードにしても、メモリカードに音声データが無くて再生不可能な場合はその旨がＬＣＤに表示されるため故障と間違わなくてすむことができる。
【図面の簡単な説明】
【図１】本発明に係るデジタルスチルカメラの概略構成を示すブロック図である。
【符号の説明】
１  撮像部
２  Ａ／Ｄ変換器
３  デジタル信号処理部
４  画像圧縮／伸長部
６  システム制御部
７  操作部
８  メモリカードＩ／Ｆ
９  メモリカード
１０  ＬＣＤ
１１  電源回路
１２  音声再生回路
１３  音声出力端子
１４  検出部
【図１】
2004229206.tif 000003